(57)【要約】【課題】  ハードウエア性能監視制御装置の提供。【解決手段】  本考案のハードウエア性能監視制御装置はコンピュータシステムに応用されて、そのなかに取り付けられたハードウエアの性能、例えばハードディスクの作業温度、伝送速度、或いはＣＰＵの温度、及び冷却ファンの運転の変調を監視制御し、並びにこの監視制御装置を運用し、操作パネルにおいて監視制御の情報を獲得し、冷却ファンの運転の変調を行ない、また、ファームウエアの連結を通して、直接コンピュータのオペレーションシステム中で、冷却ファンの変調を行ない及びハードウエアの受ける監視制御の情報を獲得する。【選択図】        図１
0003107428.tif 000002
【実用新案登録請求の範囲】
【請求項１】
ハードウエアの性能及び温度を監視制御し、該ハードウエアの温度変化により冷却作用を提供するハードウエア性能監視制御装置であり、
複数の機能選択項を具えた制御モジュールと、
該制御モジュールと該ハードウエアの間に接続され、少なくとも該ハードウエアの温度を監視制御する機能を具えた監視制御モジュールと、
該監視制御モジュールと電気的に接続され、該制御モジュールの該機能選択項を操作するための複数の機能制御ボタンが取り付けられ、該監視制御モジュールの獲得した情報を表示すると共に該制御モジュールの変調状況を表示する、少なくとも一つの表示パネルを具えた制御パネルと、
ケースと載置シートで構成されて該制御モジュール、該監視制御モジュール、及び該制御パネルの取り付けに供され、並びに該ハードウエアを取り付ける空間を形成し、該空間が気流の通過に供される風道に近接し、且つ該風道入口部分に該制御モジュールにより駆動される冷却ファンが取り付けられた収容空間と、
を具えたことを特徴とする、ハードウエア性能監視制御装置。
【請求項２】
請求項１記載のハードウエア性能監視制御装置において、監視制御モジュールが温度変化監視制御ユニットを具えたことを特徴とする、ハードウエア性能監視制御装置。
【請求項３】
請求項１記載のハードウエア性能監視制御装置において、監視制御モジュールがハードウエア伝送速度完成制御ユニットを具えたことを特徴とする、ハードウエア性能監視制御装置。
【請求項４】
請求項１記載のハードウエア性能監視制御装置において、監視制御モジュールが温度上限警告ユニットを具えたことを特徴とする、ハードウエア性能監視制御装置。
【請求項５】
請求項４記載のハードウエア性能監視制御装置において、温度上限警告ユニットにアラーム音を発生できるブザーが取り付けられたことを特徴とする、ハードウエア性能監視制御装置。
【請求項６】
請求項１記載のハードウエア性能監視制御装置において、監視制御モジュールが複数組の電気接続線を具え、複数のハードウエアに同時に接続されて監視制御を行なえることを特徴とする、ハードウエア性能監視制御装置。
【請求項７】
請求項１記載のハードウエア性能監視制御装置において、冷却ファンの回転速度が制御パネルによる電圧変調により制御されることを特徴とする、ハードウエア性能監視制御装置。
【請求項８】
請求項１記載のハードウエア性能監視制御装置において、ケースの外部表面に複数の冷却フィンが形成されたことを特徴とする、ハードウエア性能監視制御装置。
【請求項９】
請求項１記載のハードウエア性能監視制御装置において、ファームウエアにより該監視制御モジュール、及び制御モジュールとコンピュータオペレーションシステムが接続され、該ファームウエアは、
該監視制御モジュールが得た情報をデジタル化情報に変換し並びにコンピュータオペレーションシステムに表示する温度シミュレートユニットと、
該監視制御モジュールが得た情報をデジタル化情報に変換し並びにコンピュータオペレーションシステムに表示する伝送速度シミュレートユニットと、
該制御モジュールの複数の機能選択項をシミュレートしてデジタル化機能ボタンとなし、並びに該コンピュータオペレーションシステム中に表示して操作に供するコントローラシミュレートユニットと、
を具えたことを特徴とする、ハードウエア性能監視制御装置。
【考案の詳細な説明】
【技術分野】
【０００１】
本考案は一種のハードウエア運転性能及び温度上昇変化を監視制御できる装置に係り、特に、冷却作用を有し、且つ監視制御されるハードウエアの性能及び温度上昇変化を表示でき、並びに制御パネル或いはオペレーションシステム操作を利用し、冷却装置を駆動するハードウエア性能監視制御装置に関する。
【背景技術】
【０００２】
情報時代の到来に伴い、情報設備の使用要求もまた高まり、特に一般のオフィス中のコンピュータハードウエア設備は最もよく見られる。現在、常態性の使用要求から言うと、、高性能の運転は基本的要求であるが、性能を高める使用要求に伴い、ハードウエア設備自身の各機能もまたその運転中の品質を高める必要が生じる。例えばＣＰＵの高周波演算、グラフィックカード、ハードディスクの運転性能等はいずれもおろそかにはできない。しかし、これに伴い、冷却設計が、製品が突破しなければならない別の重要な課題となっている。現在、ほとんどのハードウエア設備に関しては、コンピュータ内部の高発熱部品に冷却構造が取り付けられており、例えば、ＣＰＵの情報に冷却構造が取り付けられ、更に冷却構造の上にファンが取り付けられて、ＣＰＵの発生する熱を、伝導と対流の方式で速やかに奪い去り、これにより作業温度を下げる目的を達成している。このほか、使用者が使用中に迅速にハードウエア設備の作業温度変化を知ることができるようにするための設計として、特許文献１及び２に提示された技術があり、それらは温度センス回路、或いは温度データキャプチャユニットでハードウエアの温度変化を検出し、並びに制御回路或いは処理ユニットを利用してファンの駆動を制御し、冷却の目的を達成し、並びに表示ユニットを状態を表示するための装置としている。ただし、これらの周知の技術に記載の主要な技術は、いずれも温度の測定とファンの駆動にあり、その制御の方式はいずれも機械式或いは電子式の操作を利用している。また、ハードウエアの作業温度は監視制御されているとはいえ、最終的な冷却要求は減っておらず、ゆえに監視制御の設計は効果が伴わず、もし良好な冷却効果を有するものとするなら、更に使用者の要求に符合する。
【０００３】
【特許文献１】台湾特許公報公告第５５３４２５号明細書
【特許文献２】台湾特許公報公告第５７３７６０号明細書
【考案の開示】
【考案が解決しようとする課題】
【０００４】
本考案の主要な技術は、いかに監視制御の操作装置を便利なものとして、使用者の要求に符合させるか、更に、いかに冷却の設計を設計中に融合させるかにある。
【０００５】
以上の要求を鑑み、本考案の主要な目的は、制御パネル或いはコンピュータのオペレーションシステムを通して操作及び監視制御し、且つ自身が冷却機能を具備するハードウエア性能監視制御装置を提供することにある。
【０００６】
本考案は一種のハードウエア性能監視制御装置であり、それはコンピュータシステム中に応用されてそのなかに取り付けられたハードウエアの性能、例えばハードディスクの作業温度、伝送速度、或いはＣＰＵの温度、及び冷却ファンの運転の変調を監視制御し、並びにこの監視制御装置を運用し、ファームウエアの接続を通して、直接コンピュータのオペレーションシステム中において、監視制御情報を調整及び獲得できる。
【課題を解決するための手段】
【０００７】
請求項１の考案は、ハードウエアの性能及び温度を監視制御し、該ハードウエアの温度変化により冷却作用を提供するハードウエア性能監視制御装置であり、
複数の機能選択項を具えた制御モジュールと、
該制御モジュールと該ハードウエアの間に接続され、少なくとも該ハードウエアの温度を監視制御する機能を具えた監視制御モジュールと、
該監視制御モジュールと電気的に接続され、該制御モジュールの該機能選択項を操作するための複数の機能制御ボタンが取り付けられ、該監視制御モジュールの獲得した情報を表示すると共に該制御モジュールの変調状況を表示する、少なくとも一つの表示パネルを具えた制御パネルと、
ケースと載置シートで構成されて該制御モジュール、該監視制御モジュール、及び該制御パネルの取り付けに供され、並びに該ハードウエアを取り付ける空間を形成し、該空間が気流の通過に供される風道に近接し、且つ該風道入口部分に該制御モジュールにより駆動される冷却ファンが取り付けられた収容空間と、
を具えたことを特徴とする、ハードウエア性能監視制御装置としている。
請求項２の考案は、請求項１記載のハードウエア性能監視制御装置において、監視制御モジュールが温度変化監視制御ユニットを具えたことを特徴とする、ハードウエア性能監視制御装置としている。
請求項３の考案は、請求項１記載のハードウエア性能監視制御装置において、監視制御モジュールがハードウエア伝送速度完成制御ユニットを具えたことを特徴とする、ハードウエア性能監視制御装置としている。
請求項４の考案は、請求項１記載のハードウエア性能監視制御装置において、監視制御モジュールが温度上限警告ユニットを具えたことを特徴とする、ハードウエア性能監視制御装置としている。
請求項５の考案は、請求項４記載のハードウエア性能監視制御装置において、温度上限警告ユニットにアラーム音を発生できるブザーが取り付けられたことを特徴とする、ハードウエア性能監視制御装置としている。
請求項６の考案は、請求項１記載のハードウエア性能監視制御装置において、監視制御モジュールが複数組の電気接続線を具え、複数のハードウエアに同時に接続されて監視制御を行なえることを特徴とする、ハードウエア性能監視制御装置としている。
請求項７の考案は、請求項１記載のハードウエア性能監視制御装置において、冷却ファンの回転速度が制御パネルによる電圧変調により制御されることを特徴とする、ハードウエア性能監視制御装置としている。
請求項８の考案は、請求項１記載のハードウエア性能監視制御装置において、ケースの外部表面に複数の冷却フィンが形成されたことを特徴とする、ハードウエア性能監視制御装置としている。
請求項９の考案は、請求項１記載のハードウエア性能監視制御装置において、ファームウエアにより該監視制御モジュール、及び制御モジュールとコンピュータオペレーションシステムが接続され、該ファームウエアは、
該監視制御モジュールが得た情報をデジタル化情報に変換し並びにコンピュータオペレーションシステムに表示する温度シミュレートユニットと、
該監視制御モジュールが得た情報をデジタル化情報に変換し並びにコンピュータオペレーションシステムに表示する伝送速度シミュレートユニットと、
該制御モジュールの複数の機能選択項をシミュレートしてデジタル化機能ボタンとなし、並びに該コンピュータオペレーションシステム中に表示して操作に供するコントローラシミュレートユニットと、
を具えたことを特徴とする、ハードウエア性能監視制御装置としている。
【考案の効果】
【０００８】
本考案は、使用者が選択的に制御パネルで、或いは直接コンピュータのオペレーションシステム中で、直接監視制御されるハードウエアの温度上昇変化を監視制御でき、及び、直接オペレーションシステム中で、冷却ファンの作動に対して変調が行なえ、例えば、温度上昇変化に合わせて、冷却ファンの回転速度を調整する。また、本考案のハードウエア性能監視制御装置は、自身が冷却の設計を具え、監視制御機能を有効に発揮できるのみならず、監視制御されるハードウエア設備に良好な冷却機能を提供し、ハードウエアを有効に保護する。また、本考案は複数のハードウエアを同時に監視制御でき、オペレーションシステムの表示を通して、複数のハードウエアの作業温度上昇状態に対して監視制御を行なうことができる。
【考案を実施するための最良の形態】
【０００９】
図１は本考案のハードウエア性能監視制御装置１０の立体外観図であり、それは、制御パネル１１、ケース１２を具え、該制御パネル１１は複数の制御ボタン１１１及び一つのディスプレイ１１２で構成されている。ケース１２の内部には収容空間（図示せず）があり、ケース１２の表面に複数の冷却フィン１２１が設けられ、ケース１２自身が良好な冷却機能を具備するものとされている。
【００１０】
図２は本考案のハードウエア性能監視制御装置の部品組合せ図である。ケース１２の下部に着脱自在に載置シート１３が設けられ、該載置シート１３の両側部の突起が対向する当接壁１３１を形成し、当接壁１３１に複数の貫通孔１３１１が形成されて固定ネジの挿通に供される。載置シート１３に取り付けられるハードウエアを強固に固定させるため、貫通孔１３１１には防振パッド１３５が取り付けられうる。また、載置シート１３の下側に複数の冷却フィン１３３が形成されて冷却を加速する。更に、載置シート１３の平面、即ちハードウエアと接触する平面に、先に一層の冷却ペースト１３４が塗布されえ、ハードウエアと載置シート１３の相互接触面が完全に接触するものとされ、熱伝導効果が更に良好とされる。また、載置シート１３の平面にあってケース１２底部と対応する位置に複数の貫通孔１３１２が設けられ、組合せ時のネジ固定に供される。
【００１１】
図３は本考案のハードウエア性能監視制御装置の平面図である。図示されるように、本考案は制御パネル１１、ケース１２及び載置シート１３で形成された空間、冷却ファン１４、制御モジュール１５及び監視制御モジュール１６を具えている。
【００１２】
該制御モジュール１５は、デジタル式の電子モジュールであり、複数の機能選択項、例えばＵＰ／ＤＯＷＮ、或いはＯＮ／ＯＦＦ、或いは摂氏／華氏等の切り換え及び変調を具え、制御モジュール１５は制御パネル１１と接続され、制御パネル１１の操作により、制御モジュール１５の各機能選択項が駆動され、例えば選択項ＵＰ／ＤＯＷＮ、或いはＯＮ／ＯＦＦ、或いは摂氏／華氏等の変換が行なわれ、また、制御モジュール１５はまた冷却ファン１４と接続され、電圧の調節により、冷却ファン１４の回転速度を制御し、変調させる。
【００１３】
監視制御モジュール１６は、監視制御されるハードウエア２０（例えばハードディスク）と制御モジュール１５の間に接続され、もしハードウエア２０がコンピュータシステム（図示せず）と接続されていれば、監視制御モジュール１６もまたコンピュータシステムと制御モジュール１５の間に接続され、コンピュータシステムの接続により、監視制御モジュール１６はハードウエア２０を監視制御し、また、監視制御モジュール１６は少なくとも温度監視制御ユニットを有し、またハードディスク性能監視制御ユニットが増設されうる。温度監視制御ユニットは監視制御されるハードウエアに接続或いは貼り付けられて、このハードウエアの温度上昇変化を監視制御し、ハードウエア性能監視制御ユニットは、ハードウエアと直接接続されるか或いはマザーボードと接続され、ハードウエアの運転性能情報を取得する。また、監視制御モジュール１６と制御パネル１１は接続され、監視制御いより得た関係情報が制御パネル１１のディスプレイ１１２に表示される。また、監視制御モジュール１６と冷却ファン１４は接続され、冷却ファン１４の性能、例えば回転速度が監視制御される。また、温度上昇変化を有効にリアルタイムで掌握制御するため、監視制御モジュール１６には温度上限警告ユニットを増設可能で、これにより温度上昇が一定の上限に達した時に、ブザー或いはアラームランプでアラーム情報を表示する。
【００１４】
図４は本考案のハードウエア性能監視制御装置１０の好ましい実施例の表示図である。それはファームウエア（監視制御シミュレートプログラム）１７が制御モジュール１５中に書き込まれ、並びに接続後に、本考案のハードウエア性能監視制御装置１０とコンピュータオペレーションシステム３０のソフトウエアが接続され、並びにコンピュータオペレーションシステム３０上で、監視制御により得られた情報をコントローラー及び指示メーターとしてシミュレートし、使用者がオペレーションシステムで作業する時に、随時作業フレームを通してハードウエア性能及び温度上昇状況を監視できるようにし、また、作業フレームのシミュレートコントローラーにおいて、直接関係機能を操作できるようにする。
【００１５】
図５は効率シミュレート指示メータ４０を示し、それはハードウエア（例えばハードディスク）が完成制御を受けた後の運転効率情報をデジタル化でき、並びにディスプレイパネルとしてシミュレートし、そのフレーム中には以下のようないくつかの表示ウインドウが含まれる。即ち、
１．メータ状運転効率表示エリア４１
２．監視制御されるハードウエア選択４２
３．数値化運転効率表示エリア４３
４．條状図表示エリア４４。
それは、ファームウエア（監視制御シミュレートプログラム）１７の伝送速度シミュレートユニットにより、監視制御ユニットの得られる情報がデジタル化情報に変換され、並びにコンピュータオペレーションシステム中に表示可能とされ、使用者が直接オペレーションシステムのフレームにおいて、監視制御されるハードウエアの運転情報を読み出すことができるようにする。
【００１６】
図６はもう一つの温度変化シミュレート指示メータ５０を示し、それは、冷却ファンが監視制御された後に得られる情報をデジタル化し、並びに表示パネルにシミュレートしたものであり、そのフレーム中には以下のような複数の表示ウインドウが含まれる。即ち、  １．冷却ファン選択５１
２．冷却ファン運転速度表示メータ５２
３．温度表示メータ５３
４．変調ボタン５４
５．数値化表示エリア５５。
それは、ファームウエア（監視制御シミュレートプログラム）１７の温度シミュレートユニットにより、この監視制御ユニットの得た温度変化情報を、デジタル化情報に変換し、並びに該コンピュータオペレーションシステム中に表示し、使用者が直接オペレーションシステムのフレームにより監視制御されるハードウエアの運転情報を読み出すことができるようにする。
【００１７】
図７はもう一つのファン運転状態シミュレート制御板６０を示し、それは、制限条件を設定し、冷却ファンの不作用状態を監視制御するのに用いられ、図示されるように、そのフレーム中には以下のような表示ウインドウが包含される。即ち、
１．情報エリア６１：設定を行ないたいハードウエア装置情報を表示。
２．設定エリア６２：少なくとも時間設定を包含する。
それは、ファームウエア（監視制御シミュレートプログラム）１７のコントローラシミュレートユニットにより、制御モジュールの複数の機能選択項をシミュレートしてデジタル化機能ボタンとなし、並びにコンピュータオペレーションシステム中に表示して操作に供する。
【００１８】
図８は本考案のハードウエア性能監視制御装置の別の好ましい実施例を示す。図示されるように、ハードウエア２０はコンピュータシステムに取り付けられる前に、先に載置シート１３の上に置かれ、両辺が複数の固定ネジ１３６で固定され、ハードウエア２０が強固に載置シート１３に取り付けられる。更に図９に示されるように、固定後のハードウエア２０及び載置シート１３は下から上にケース１２底部の対応位置に組付けられ、並びにネジ止めされる。また、熱伝導効果を更に良好とするため、組合せ前に、ハードウエア２０の情報とケース１１の間に一層の冷却ペースト１３７が塗布或いは貼り付けられ、接触面が更に緊密とされ、熱伝導効率が高められる。組合せ完成後は、図１に示されるようである。また、電気的接続部分については周知の技術であるため説明を省略する。
【００１９】
図１１は本考案のハードウエア性能監視制御装置１０の冷却構造側面断面図である。図示されるように、ハードウエア性能監視制御装置１０は、ケース１２と載置シート１３により収容空間を形成し、その前端に制御パネル１１が取り付けられ、制御パネル１１の周囲に複数の入気孔１１３が設けられ、外部空気がケース１２内に進入可能とされる。図示されるように、ケース１２の外部には複数の冷却フィン１２１が設けられ、載置シート１３の外部（下側部）にも複数の冷却フィン１３３が形成され、これにより冷却面積が増加されている。冷却ファン１４はケース１２の前端に取り付けられ、並びに入気孔１１３の近隣に配置され、且つ冷却ファン１４の風流出口１４１は載置シート１３の冷却フィン１３３に対応し、冷却ファン１４の作動時に、その発生する風流が直接冷却フィン１３３に吹きつけ、冷却の効率が加速される。図中に示される風流方向Ｗを参照されたい。冷却ファン１４が作動開始後、外部の空気は入気孔１１３より冷却ファン１４に吸入され、更に冷却ファン１４より各冷却フィン１３３に向けて流れ、その時、冷却フィン１３３の発散する熱気を速やかに奪い去り、冷却の効果を達成する。
【００２０】
図１２は本考案のハードウエア性能監視制御装置の別の実施例を示す。それは複数組の電気的接続線を具え、それは複数のハードウエア２１、２２、２３及び対応するファン２１１、２２１、２３１を同時に監視制御でき、使用者の多機能要求に符合する。
【００２１】
以上の説明から分かるように、本考案のハードウエア性能監視制御装置はその実施後に少なくとも以下のような優れた効果を有する。
１．ケースの制御パネルを選択して制御を行なうか、或いはコンピュータ作業フレーム上で直接制御できる。
２．同時に複数組のハードウエアの作業温度監視制御が行なえる。
３．冷却ファンの回転速度を適時に変調して冷却の要求に応えることができる。
４．ケース自身が冷却構造とされ、内部に取り付けられたハードウエアを同時に監視制御し冷却を行なうことができる。
【００２２】
総合すると、本考案のハードウエア性能監視制御装置はその実施後に、コンピュータオペレーションシステムを通して操作及び監視制御でき、且つ自身が冷却機能を具えた監視制御装置の目的を達成する。
【００２３】
以上の実施例は本考案の範囲を限定するものではなく、本考案に基づきなしうる細部の修飾或いは改変は、いずれも本考案の請求範囲に属するものとする。
【図面の簡単な説明】
【００２４】
【図１】本考案の立体外観図である。
【図２】本考案の部品組合せ図である。
【図３】本考案の平面図である。
【図４】本考案の実施例表示図である。
【図５】本考案のオペレーションシステムの表示する操作表示図である。
【図６】本考案のオペレーションシステムの表示する操作表示図である。
【図７】本考案のオペレーションシステムの表示する操作表示図である。
【図８】本考案の別の実施例表示図である。
【図９】本考案の図８の実施例の組合せ表示図である。
【図１０】本考案の更に別の実施例表示図である。
【図１１】本考案の冷却構造側面断面図である。
【図１２】本考案の更にまた別の実施例表示図である。
【符号の説明】
【００２５】
１０  ハードウエア性能監視制御装置
１１  制御パネル
１１１  制御ボタン
１１２  ディスプレイ
１１３  入気孔
１２  ケース
１２１  冷却フィン
１３  載置シート
１３１  当接壁
１３２  防振パッド
１３３  冷却フィン
１３４  冷却ペースト
１３５  貫通孔
１３６  固定ネジ
１３７  冷却ペースト
１４  冷却ファン
１４１  風流出口
１５  制御モジュール
１６  監視制御モジュール
１７  ファームウエア（監視制御シミュレートプログラム）
２０  ハードウエア
３０  コンピュータオペレーションシステム
４０  効率シミュレート指示メータ
４１  メータ状運転効率表示エリア
４２  監視制御されるハードウエア選択
４３  デジタル化運転効率表示
４４  條状図表示エリア
５０  温度変化シミュレート指示メータ
５１  冷却ファン選択
５２  冷却ファン運転速度表示メータ
５３  温度表示メータ
５４  変調ボタン
５５  数値化表示エリア
６０  ファン運転状態シミュレート制御板
６１  情報エリア
６２  設定エリア
７０  コンピュータシステム
７１  固定溝
Ｗ  風流方向
【図１】
0003107428.tif 000003
【図２】
0003107428.tif 000004
【図３】
0003107428.tif 000005
【図４】
0003107428.tif 000006
【図５】
0003107428.tif 000007
【図６】
0003107428.tif 000008
【図７】
0003107428.tif 000009
【図８】
0003107428.tif 000010
【図９】
0003107428.tif 000011
【図１０】
0003107428.tif 000012
【図１１】
0003107428.tif 000013
【図１２】
0003107428.tif 000014